(57)【要約】      （修正有）【課題】遺族に高額な費用負担を要することのない墓を提供する。【解決手段】最下階の真中に延びる廊下００１から出入りする扉がある複数の納骨室０１１〜０２０と、廊下００１の途中に、納骨室０１７〜０１９の壁の一部が凹まされて設けられ、納骨室０１７〜０１９の外にある祭壇の間００２と、祭壇の間００２の上方に屋上まで通じる吹き抜けと、墓の天端面に設けられたトップライトと、吹き抜けを避けて途中で左右に分岐して再び合流する廊下と、階段３１１と、納骨室０１１〜０２０のレールに置かれて、スライド移動可能な複数のラックであって、遺骨を出し入れしないときはひとつのラックの遺骨出し入れ口が隣のラックで隠れるように置かれ、遺骨を出し入れするときは遺骨出し入れ口が隣のラックから表出するようにレールの上をスライド移動させられる複数のラックと、を有するが、内部に墓石を有さない。【選択図】図２
0003224925.tif 000002
【実用新案登録請求の範囲】
【請求項１】
墓の内部を複数の階に区画するフロアと、
前記複数の階のうち地下に位置する最下階の真中に延びるように設けられた廊下と、
前記廊下の前側の突き当たりに設けられ、その廊下に出入りするための扉がある前側納骨室と、
前記廊下の後側の突き当たりに設けられ、その廊下に出入りするための扉がある後側納骨室と、
前記廊下の左側に並ぶように設けられ、その廊下に出入りするための扉がある左側の複数の納骨室と、
前記廊下の右側に並ぶように設けられ、その廊下に出入りするための扉がある右側の複数の納骨室と、
前記廊下の途中に、前記左側の複数の納骨室のうち所定の納骨室の壁の一部が凹まされるとともに、前記右側の複数の納骨室のうち所定の納骨室の壁の一部が凹まされることで設けられ、凹まされた納骨室の壁に囲まれてその壁によって凹まされた納骨室と区切られて納骨室の外に形成されている円形スペースによる祭祀を執り行うための祭壇の間と、
前記祭壇の間の上方に形成され、祭壇の間がある階よりも上の階のフロアを貫通して屋上まで通じる吹き抜けと、
墓の天端面に設けられ、前記吹き抜けを通じて前記祭壇の間に光を通すためのトップライトと、
前記祭壇の間がある階よりも上の階の真中に延びるように設けられ、前記吹き抜けを避けるように途中で左右に分岐して再び合流する上の階の廊下と、
前記複数の階を接続し、複数の階の行き来を可能にする階段と、
前記前側納骨室及び前記後側納骨室及び前記左側の複数の納骨室及び前記右側の複数の納骨室のフロアに設置された一対のレールに置かれて、そのレールの上で左右にスライド移動可能であるとともに、遺骨を載置する棚板によって内部が区切られており、遺骨を出し入れできるように少なくとも正面に出し入れ口が設けられている複数のラックであって、ひとつのラックの背面に隣のラックが位置するように順次連続して並べられており、遺骨を出し入れしないときはひとつのラックの出し入れ口が隣のラックで隠れるように置かれ、遺骨を出し入れするときは出し入れ口が隣のラックから表出するようにレールの上をスライド移動させられる複数のラックと、
を有するが、内部に墓石を有さない、
墓。
【請求項２】
請求項１に記載の墓において、
前記ラックは、仕切板によって内部が正面側のスペース及び背面側のスペースに二分されており、遺骨を出し入れできるように正面及び背面に出し入れ口が設けられている、
墓。
【請求項３】
請求項１又は請求項２に記載の墓において、
前記ラックの左右いずれか一方の側面に設けられ、ラックを引き出すための引出部を有する、
墓。
【請求項４】
請求項１から請求項３までのいずれか１項に記載の墓において、
前記ラックに設けられ、遺骨を出し入れしないときにラックが移動しないように位置を固定するストッパーを有する、
墓。
【請求項５】
請求項１から請求項４までのいずれか１項に記載の墓において、
前記ラックは、一対のレールの上に２台置かれている、
墓。
【請求項６】
請求項１から請求項５までのいずれか１項に記載の墓において、
前方後円墳形である、
墓。
【請求項７】
請求項６に記載の墓において、
前方後円墳の後円部分に形成され、途中の階のフロアを貫通して最下階から屋上まで通じる吹き抜けを有する、
墓。
【請求項８】
請求項１から請求項７までのいずれか１項に記載の墓において、
地上に位置する階のなかで最も下の階であって、墓の外部から墓の内部に出入りする箇所に設けられ、墓の外部から内部に風が侵入することを防止する風除室を有する、
墓。
【請求項９】
請求項１から請求項８までのいずれか１項に記載の墓において、
地上に位置する階のなかで最も下の階に設けられ、墓の外部から墓の内部に出入りする時に通過するエントランスホールに面して設けられた受付を有する、
墓。
【請求項１０】
請求項１から請求項９までのいずれか１項に記載の墓において、
地上に位置する階のなかで最も下の階に設けられ、墓の外部から墓の内部に出入りする時に通過するエントランスホールに連続して設けられたロビーを有する、
墓。
【請求項１１】
請求項１から請求項１０までのいずれか１項に記載の墓において、
それぞれの階に設置されたトイレを有する、
墓。
【請求項１２】
請求項１から請求項１１までのいずれか１項に記載の墓において、
前記複数の階の行き来を可能にするエレベーターを有する、
墓。
【考案の詳細な説明】
【技術分野】
【０００１】
この考案は、墓に関する。
【背景技術】
【０００２】
厚生労働省の調べによると、日本国の平成２３年の死亡者数は、１２５万３４６３人である。前年の１１９万７０１２人よりも５万６４５１人増加している。死亡者数は、毎年ほぼ５万人ずつ増加し続けており、２０５０年には総人口が１億人にまで減少すると予想されている。
【０００３】
また、少子高齢化、婚姻をしない単身者の増加、都市への人口集中による地方の過疎化等によって、都市では墓地不足・地方では無縁墓への危惧現象が発生している。
【０００４】
新たに墓地を設置するには、都道府県等の条例に従う必要があり、また知事の許可が必要である。条例には、住宅や道路・河川などから離すべき距離などに関する設置基準などが細かく規定されており、これらをすべてクリアして新たに墓地を設置するのは容易ではない。そのため、近年、墓地の不足が顕在化しており、墓地の価格も高止まりしている。
【０００５】
このようなことを背景に、「国民生活にとって必要な施設」である墓地・霊園に対して、従来とは異なる新たな埋葬システムが強く望まれている。なお、墓地不足等の問題は、今後は、日本国だけでなく世界各国で生ずることが懸念される。
【０００６】
以上のようなことから、限られた敷地を有効的に活用すべく、地下に霊園を設置することが種々提案されている（特許文献１，特許文献２，特許文献３，特許文献４）。
【先行技術文献】
【特許文献】
【０００７】
【特許文献１】特公平６−８９６１６号公報
【特許文献２】特公平６−８９６１７号公報
【特許文献３】特公平６−８９６１８号公報
【特許文献４】特許第３０６００４２号公報
【考案の概要】
【考案が解決しようとする課題】
【０００８】
しかしながら、いずれのものも、地下に広がる霊園である。墓を建てる者は、墓石等を購入する必要がある。墓石自体が、数十万円あるいはそれ以上の費用を要するという高価なものであるので、特許文献１〜４の霊園であっても、墓を建てるには、それなりに費用が掛かる。
【０００９】
本考案は、このような従来の問題点に着目してなされた。本考案の目的は、遺族に高額な費用負担を要することのない墓を提供することである。
【課題を解決するための手段】
【００１０】
本考案は以下のような解決手段によって前記課題を解決する。なお、理解を容易にするために本考案の実施形態に対応する符号を付するが、これに限定されるものではない。また符号を付して説明した構成は適宜代替しても改良してもよい。
【００１１】
第１の考案は、墓の内部を複数の階に区画するフロアと、前記複数の階のうち地下に位置する最下階の真中に延びるように設けられた廊下（００１）と、前記廊下（００１）の前側の突き当たりに設けられ、その廊下（００１）に出入りするための扉がある前側納骨室（０１１）と、前記廊下（００１）の後側の突き当たりに設けられ、その廊下（００１）に出入りするための扉がある後側納骨室（０２０）と、前記廊下（００１）の左側に並ぶように設けられ、その廊下（００１）に出入りするための扉がある左側の複数の納骨室（０１２，０１４，０１６，０１７，０１９）と、前記廊下（００１）の右側に並ぶように設けられ、その廊下（００１）に出入りするための扉がある右側の複数の納骨室（０１３，０１５，０１８）と、前記廊下（００１）の途中に、前記左側の複数の納骨室（０１２，０１４，０１６，０１７，０１９）のうち所定の納骨室（０１７，０１９）の壁の一部が凹まされるとともに、前記右側の複数の納骨室（０１３，０１５，０１８）のうち所定の納骨室（０１８）の壁の一部が凹まされることで設けられ、凹まされた納骨室（０１７〜０１９）の壁に囲まれてその壁によって凹まされた納骨室（０１７〜０１９）と区切られて納骨室（０１７〜０１９）の外に形成されている円形スペースによる祭祀を執り行うための祭壇の間（００２）と、前記祭壇の間（００２）の上方に形成され、祭壇の間（００２）がある階よりも上の階のフロアを貫通して屋上まで通じる吹き抜け（３０２）と、墓の天端面（４１８）に設けられ、前記吹き抜け（３０２）を通じて前記祭壇の間（００２）に光を通すためのトップライト（４１０）と、前記祭壇の間（００２）がある階よりも上の階の真中に延びるように設けられ、前記吹き抜け（３０２）を避けるように途中で左右に分岐して再び合流する上の階の廊下（１０１，２０１）と、前記複数の階を接続し、複数の階の行き来を可能にする階段（３１１，３１２）と、前記前側納骨室（０１１）及び前記後側納骨室（０２０）及び前記左側の複数の納骨室（０１２，０１４，０１６，０１７，０１９）及び前記右側の複数の納骨室（０１３，０１５，０１８）のフロアに設置された一対のレール（５０）に置かれて、そのレール（５０）の上で左右にスライド移動可能であるとともに、遺骨を載置する棚板（５４）によって内部が区切られており、遺骨を出し入れできるように少なくとも正面に出し入れ口が設けられている複数のラック（５）であって、ひとつのラック（５）の背面に隣のラック（５）が位置するように順次連続して並べられており、遺骨を出し入れしないときはひとつのラック（５）の出し入れ口が隣のラック（５）で隠れるように置かれ、遺骨を出し入れするときは出し入れ口が隣のラック（５）から表出するようにレール（５０）の上をスライド移動させられる複数のラック（５）とを有するが、内部に墓石を有さない、墓である。
【００１２】
第２の考案は、第１の考案において、前記ラック（５）は、仕切板（５３）によって内部が正面側のスペース及び背面側のスペースに二分されており、遺骨を出し入れできるように正面及び背面に出し入れ口が設けられている墓である。
【００１３】
第３の考案は、第１又は第２の考案において、前記ラック（５）の左右いずれか一方の側面に設けられ、ラックを引き出すための引出部（５１１）を有する墓である。
【００１４】
第４の考案は、第１から第３までのいずれかの考案において、前記ラック（５）に設けられ、遺骨を出し入れしないときにラックが移動しないように位置を固定するストッパー（５１２）を有する墓である。
【００１５】
第５の考案は、第１から第４までのいずれかの考案において、前記ラック（５）は、一対のレール（５０）の上に２台置かれている墓である。
【００１６】
第６の考案は、第１から第５までのいずれかの考案において、前方後円墳形である墓である。
【００１７】
第７の考案は、第６の考案において、前方後円墳の後円部分（１２）に形成され、途中の階のフロアを貫通して最下階から屋上まで通じる吹き抜け（３０２）を有する墓である。
【００１８】
第８の考案は、第１から第７までのいずれかの考案において、地上に位置する階のなかで最も下の階であって、墓の外部から墓の内部に出入りする箇所に設けられ、墓の外部から内部に風が侵入することを防止する風除室（１５１，１５２）を有する墓である。
【００１９】
第９の考案は、第１から第８までのいずれかの考案において、地上に位置する階のなかで最も下の階に設けられ、墓の外部から墓の内部に出入りする時に通過するエントランスホール（１６１）に面して設けられた受付（１６２）を有する墓である。
【００２０】
第１０の考案は、第１から第９までのいずれかの考案において、地上に位置する階のなかで最も下の階に設けられ、墓の外部から墓の内部に出入りする時に通過するエントランスホール（１６１）に連続して設けられたロビー（１６４）を有する墓である。
【００２１】
第１１の考案は、第１から第１０までのいずれかの考案において、それぞれの階に設置されたトイレ（０４１，０４２，１４１，１４２，２４１，２４２）を有する墓である。
【００２２】
第１２の考案は、第１から第１１までのいずれかの考案において、前記複数の階の行き来を可能にするエレベーター（３２１）を有する墓である。
【考案の効果】
【００２３】
この態様によれば、巨大な墓に、多数の人々の遺骨を安置するようにしたので、従来の家族単位等の墓ではなく、膨大な数の個人が利用できるひとつの墓を提供できる。これによって、墓を安価に供給でき、遺族に高価な費用負担を要することがない。
【図面の簡単な説明】
【００２４】
【図１】図１は、本考案による墓の一実施形態を示す平面図である。
【図２】図２は、墓１の地階（地下１階）の平面図である。
【図３】図３は、墓１の地上１階の平面図である。
【図４】図４は、墓１の地上２階の平面図である。
【図５】図５は、墓１の屋上階の平面図である。
【図６】図６は、墓１の横断面図である。
【図７】図７は、墓１の縦断面図である。
【図８】図８は、納骨室に設置されるラック５を示す図である。
【図９】図９は、ラック５が納骨室に設置された状態を説明する斜視図である。
【図１０】図１０は、管理棟２を示す図である。
【図１１】図１１は、納骨室に設置されるラック５の変形例を示す図である。
【考案を実施するための形態】
【００２５】
以下、添付図面を参照しながら本考案の実施形態について説明する。
【００２６】
上述したように、近年は墓地の不足が顕在化している。従来は、家族単位でひとつの墓に納骨されることが多かった。また近年は、個人でひとつの墓に納骨されることもある。このような形態では、家ごとに又は個人ごとに墓が必要となる。考案者らは、そのことが、墓地不足のひとつの要因であると考えた。そこで、考案者らは、ひとつの巨大な墓を作り、その下に多くの遺骨を埋葬することで、墓地不足を解消することに想到したのである。
【００２７】
また、考案者らは、巨大な墓として、古来より広く知られている前方後円墳に着目した。前方後円墳は、たとえば仁徳天皇陵が有名であるが、天皇・豪族などの時の権力者の力を象徴するものであり、陰気な雰囲気がない。
【００２８】
そのような前方後円墳を現代に甦らせて、その下にできるだけ多くの遺骨を安置することで、墓を安価に提供できるのである。
【００２９】
以下では、適宜図面を参照しながら具体的な内容について説明する。
【００３０】
図１は、本考案による墓の一実施形態を示す平面図である。
【００３１】
図１に示されるように、墓１は、前方部１１と後円部１２とからなる前方後円墳形の墓である。サイズについて例を挙げると、全長は９０ｍ程度，全幅は７０ｍ程度である。ただしこのサイズは一例に過ぎず、もっと大きくてもあるいは小さくてもよい。この実施形態では、墓１は、地階（地下１階），地上１階，地上２階からなる３層構造である。また墓１の前方及び後方には、通路３を介して、管理棟２が設置されている。この管理棟２の詳細については、後述する。なお後述のように墓１の表面には芝生が敷かれているが、さらに墓１の周囲にも芝生を敷いて公園風にすることも好ましい。
【００３２】
図２は、墓１の地階（地下１階）の平面図である。
【００３３】
最初に、図２を参照して地階（地下１階）について説明する。図２に示されているように、地階では、真中に１本の廊下００１が設けられている。廊下００１の途中であって後円部１２の中心付近には、広い円形スペース００２が設けられている。この円形スペース００２は、祭祀を執り行うための祭壇の間である。後述するように、この祭壇の間００２の上方には、屋上まで通じる吹き抜け３０２が形成されている。このような構造によって太陽の光が吹き抜け３０２から祭壇の間００２まで達し、祭壇の間００２に荘厳な雰囲気を醸し出す。
【００３４】
廊下００１の前側（図中下側）突き当たりの扉を入ると、納骨室０１１が広がる。なお図中の四角形は柱を示す。この納骨室０１１には、周囲を囲む１８本の柱と、内部に立つ６本の柱がある。この納骨室０１１は、墓１の中で一番広い納骨室である。
【００３５】
廊下００１の後側（図中上側）突き当たりの扉を入ると、納骨室０２０が広がる。
【００３６】
廊下００１の左側には、手前から順番に、納骨室０１２，納骨室０１４，納骨室０１６，納骨室０１７，納骨室０１９が並ぶ。また廊下００１の右側には、手前から順番に、納骨室０１３，納骨室０１５，納骨室０１８が並ぶ。納骨室０１７，納骨室０１８，納骨室０１９の壁の一部は、祭壇の間００２のスペースを確保するために凹んでいる。
【００３７】
廊下００１の左下には納骨室０１２のスペースの一部が削られて階段室３１１及び消火ポンプ室０５１が確保されている。なお消火ポンプ室０５１の床下には防火水槽が設けられている。
【００３８】
廊下００１を挟んで階段室３１１及び消火ポンプ室０５１の向かいには、納骨室０１３のスペースの一部が削られてトイレ０４１が確保されている。また廊下００１の右上には納骨室０１８のスペースの一部が削られて階段室３１２及びトイレ０４２が確保されている。トイレ０４１及びトイレ０４２は、一方が男性用，他方が女性用である。
【００３９】
また、墓１の中央付近（前方部１１と後円部１２との境界付近）であって廊下００１の右側には、納骨室０１５のスペースの一部が削られてエレベーター室３２０及びエレベーターホール０３２が配置されている。図中、符号３２１がエレベーターである。墓１に入った人は、階段又はエレベーターを使うことで、他の階に行き来することができる。
【００４０】
図３は、墓１の地上１階の平面図である。
【００４１】
次に、図３を参照して地上１階について説明する。図３に示されているように、地上１階では、真中に１本の廊下１０１が設けられている。廊下１０１の途中であって後円部１２の中心付近には、上述したように、祭壇の間００２に通じる吹き抜け３０２が形成されている。廊下１０１は、吹き抜け３０２を避けるように途中で左右に分岐して再び合流する。なお廊下１０１の縁には手摺１０２が設けられている。
【００４２】
廊下１０１の前側突き当たり付近はエントランスホール１６１になっており、人はここから墓１に出入りする。出入口には、墓１の外部から内部に風が侵入することを防止する風除室１５１が配置されている。またエントランスホール１６１に面して、エントランスホール１６１の左側には、受付１６２が配置されている。そして受付１６２に連続して事務室１６３が配置されている。受付１６２と事務室１６３との間には扉があり、その扉を閉めておけばエントランスホール１６１から事務室１６３の中が覗かれることがない。
【００４３】
またエントランスホール１６１に連続して、エントランスホール１６１の右側には、ロビー１６４が設けられており、待ち合わせなどに便利である。
【００４４】
廊下１０１の後側突き当たりには、風除室１５２が配置されている。風除室１５２からも墓１に出入りすることができる。
【００４５】
廊下１０１の左側には、手前から順番に、事務室１６３，納骨室１１１，納骨室１１３，納骨室１１５，納骨室１１７，納骨室１１８，納骨室１２０，機械室１６５が並ぶ。また廊下１０１の右側には、手前から順番に、ロビー１６４，納骨室１１２，納骨室１１４，納骨室１１６，納骨室１１９，電気室１６６が並ぶ。納骨室１１８，納骨室１１９，納骨室１２０の壁の一部は、吹き抜け３０２のスペースを確保するために凹んでいる。
【００４６】
廊下１０１の左下側であって納骨室１１３のスペースの一部が削られて、階段室３１１が確保されている。
【００４７】
廊下１０１を挟んで階段室３１１の向かいには、納骨室１１４のスペースの一部が削られてトイレ１４１が確保されている。また廊下１０１の右上側には納骨室１１９のスペースの一部が削られて階段室３１２及びトイレ１４２が確保されている。トイレ１４１及びトイレ１４２は、一方が男性用，他方が女性用である。直下のトイレ（トイレ１４１の直下はトイレ０４１／トイレ１４２の直下はトイレ０４２）とあわせてもよく、異ならせてもよい。
【００４８】
また、墓１の中央付近（前方部１１と後円部１２との境界付近）であって廊下１０１の右側には、納骨室１１６のスペースの一部が削られてエレベーター室３２０及びエレベーターホール１３２が配置されている。
【００４９】
図４は、墓１の地上２階の平面図である。
【００５０】
次に、図４を参照して地上２階について説明する。図４に示されているように、地上２階では、真中に１本の廊下２０１が設けられている。廊下２０１の途中であって後円部１２の中心付近には、上述したように、祭壇の間００２に通じる吹き抜け３０２が形成されている。廊下２０１は、吹き抜け３０２を避けるように途中で左右に分岐して再び合流する。なお廊下２０１の縁には手摺２０２が設けられている。
【００５１】
廊下２０１の前側突き当たり付近はラウンジ２５１になっている。また廊下２０１の後側突き当たり付近はラウンジ２５２になっている。
【００５２】
廊下２０１の左側には、手前から順番に、納骨室２１１，階段室３１１，納骨室２１３，納骨室２１５，納骨室２１７，納骨室２１８，納骨室２２０が並ぶ。また廊下２０１の右側には、手前から順番に、納骨室２１２，トイレ２４１，納骨室２１４，納骨室２１６，エレベーターホール２３２及びエレベーター室３２０，納骨室２１９，階段室３１２，トイレ２４２が並ぶ。トイレ２４１及びトイレ２４２は、一方が男性用，他方が女性用である。直下のトイレ（トイレ２４１の直下はトイレ１４１／トイレ２４２の直下はトイレ１４２）とあわせてもよく、異ならせてもよい。納骨室２１８，納骨室２１９，納骨室２２０の壁の一部は、吹き抜け３０２のスペースを確保するために凹んでいる。
【００５３】
図５は、墓１の屋上階の平面図である。
【００５４】
墓１は、上述のように、前方後円墳形の墓である。
【００５５】
前方部１１では、地面４００に対して傾斜する法面（斜面）４１１が形成されており、その法面４１１に連続して小段面（水平面）４１２，法面４１３，小段面（水平面）４１４，法面４１５，天端面（水平面）４１６が形成されている。このように前方部１１は３つの水平面（小段面４１２，小段面４１４，天端面４１６）からなる３段形状である。
【００５６】
後円部１２では、地面４００に対して傾斜する法面４１１が形成されており、その法面４１１に連続して小段面（水平面）４１２，法面４１３，小段面（水平面）４１４，法面４１７，天端面（水平面）４１８が形成されている。このように後円部１２は３つの水平面（小段面４１２，小段面４１４，天端面４１８）からなる３段形状である。また後円部１２に位置する３つの水平面（小段面４１２，小段面４１４，天端面４１８）は、同心円状に徐々に小径化する。そして、天端面４１８が天端面４１６よりも高く位置する。また天端面４１８の中心部分には、祭壇の間００２に光を通すためのトップライト（天窓）４１０が形成されている。なおこのトップライト（天窓）４１０には強化ガラス等による透光性の屋根が嵌められている。
【００５７】
そして、墓１の表面には、芝生が敷かれており、また、法面４１１，法面４１３，法面４１５，法面４１７の法尻部には側溝が形成されており玉砂利が敷かれている。このようになっているので、見た目が非常に綺麗である。
【００５８】
墓１の構造についてさらに理解が深まるように、墓１を断面図で確認する。
【００５９】
図６は墓１の横断面図であり、特に図６（Ａ）は図２〜５の６Ａ−６Ａ断面図であり、図６（Ｂ）は図２〜５の６Ｂ−６Ｂ断面図である。
【００６０】
図６（Ａ）に示されているように、図２〜５の６Ａ−６Ａ断面の位置の地階には、納骨室０１１が広がる。地上１階には、左から順に、納骨室１１１，事務室１６３，エントランスホール１６１及びロビー１６４，納骨室１１２が位置する。
【００６１】
また図６（Ｂ）に示されているように、図２〜５の６Ｂ−６Ｂ断面の位置の地階には、納骨室０１１が広がる。地上１階には、左から順に、納骨室１１１，廊下１０１，納骨室１１２が位置する。地上２階には、左から順に、納骨室２１１，ラウンジ２５１，納骨室２１２が位置する。
【００６２】
図７は墓１の縦断面図であり、特に図７（Ａ）は図２〜５の７Ａ−７Ａ断面図であり、図７（Ｂ）は図２〜５の７Ｂ−７Ｂ断面図である。
【００６３】
図７（Ａ）に示されているように、図２〜５の７Ａ−７Ａ断面の位置の地階には、左から順に、納骨室０１１，廊下００１，祭壇の間００２，廊下００１，納骨室０２０が位置する。
【００６４】
地上１階には、左から順に、風除室１５１，エントランスホール１６１，廊下１０１，吹き抜け３０２，廊下１０１，風除室１５２が位置する。なお廊下１０１の縁には手摺１０２が設けられている。
【００６５】
地上２階には、左から順に、ラウンジ２５１，廊下２０１，吹き抜け３０２，廊下２０１，ラウンジ２５２が位置する。なお廊下２０１の縁には手摺２０２が設けられている。
【００６６】
また図７（Ｂ）に示されているように、図２〜５の６Ｂ−６Ｂ断面の位置の地階には、左から順に、納骨室０１１，トイレ０４１，納骨室０１３，納骨室０１５，エレベーターホール０３２及びエレベーター室３２０，納骨室０１８，祭壇の間００２，納骨室０１８，階段室３１２，トイレ０４２，納骨室０２０が位置する。
【００６７】
地上１階には、左から順に、ロビー１６４，納骨室１１２，トイレ１４１，納骨室１１４，納骨室１１６，エレベーターホール１３２及びエレベーター室３２０，納骨室１１９，廊下１０１，納骨室１１９，階段室３１２，トイレ１４２，電気室１６６が位置する。
【００６８】
地上２階には、左から順に、納骨室２１２，トイレ２４１，納骨室２１４，納骨室２１６，エレベーターホール２３２及びエレベーター室３２０，納骨室２１９，廊下２０１，納骨室２１９，階段室３１２，トイレ２４２が位置する。
【００６９】
図８は納骨室に設置されるラック５を示す図であり、図８（Ａ）は正面図、図８（Ｂ）は平面図である。
【００７０】
納骨室にはラック５が設置される。ラック５は、納骨室のフロアに設置されたレール５０の上を、左右にスライド移動可能である。図８では、一対のレール５０の上に２つのラックが配置されている。なお図８（Ａ）では、レール５０は、露出した状態で示されているが、フロアの表面から突出しないようにフロアに埋設されていることが好ましい。行き来する人の邪魔にならないからである。ラック５の底板５２の下面には、不図示の車輪が設けられており、その車輪によってラック５がレール５０の上をスライド移動可能になっている。
【００７１】
棚板５４は、図８では仕切板５３の表側及び裏側に８枚ずつ、上下に等間隔で配置されたものが例示されているが、この枚数は、適宜変更してよい。
【００７２】
棚板５４には台座５５が設けられている。図８では１枚の棚板５４に４個の台座が一列に並べられたものが例示されている。したがってひとつのラック５に７２個の台座が設けらている。なおこの個数も、適宜変更してよい。台座５５は、凹状のものであって、この上に遺骨が載置される。遺骨は骨壺に納められた状態で台座５５に載置されてもよいし、簡易的には袋体に納められた状態で台座５５に載置されてもよい。遺骨は、ラック５の正面又は背面に開口する出し入れ口から出し入れする。この出し入れ口には、必要であれば扉を設けてもよい。このようにすれば、不慮による遺骨（骨壺）の落下を防止できる。また簡易的には、ロープなどを渡すようにしてもよい。このようにしても、不慮による遺骨（骨壺）の落下を防止できるのである。
【００７３】
他方のラックに対峙する側板５１には、引出部としての把手５１１が取り付けられている。この把手５１１が引かれて、ラック５が引き出される。なお手（指）を掛けることができるように側板５１の一部が凹まされることで、引出部が形成されていてもよい。
【００７４】
図９は、ラック５が納骨室に設置された状態を説明する斜視図である。
【００７５】
図９に示されるように、納骨室には、ひとつのラック５の背面に隣のラック５が位置するように、ほとんど隙間なく順次連続して並べられている。それらのラックは、遺骨を出し入れしないときは出し入れ口が隣のラックで隠れるように置かれている。そして万一地震等があってもラックが揺れて移動しないようにストッパー５１２が掛けられている。この状態が図９に示されている。遺骨を出し入れするときは、ストッパー５１２が外されて、把手５１１が引かれて、出し入れ口が隣のラックから表出するように引き出される。
【００７６】
なお、遺骨を出し入れしないときは、一対のレールに置かれた２台のラック５は、ラック幅Ｗの２倍の距離２Ｗ以上離れている。このため、一対のレールに置かれた２台のラック５を同時に引き出すことも可能である。
【００７７】
このようなラック５をすべての納骨室に設置することで、数十万口の遺骨（数十万人分の遺骨）を安置することができる。
【００７８】
図１０は管理棟２を示す図であり、図１０（Ａ）は平面図、図１０（Ｂ）は図１及び図１０（Ａ）の１０Ａ−１０Ａ断面図である。
【００７９】
管理棟２は、図１に示された通路３に通じるエントランスホール２１が設けられている。そのエントランスホール２１に面して受付２１が設置されている。受付２１の後ろには事務室２３が設置されている。事務室２３の出入口の向かいにはトイレ２４１，２４２，２４３が配置される。なおトイレ２４１，２４２は、一方が男性用、他方が女性用であり、トイレ２４３は多目的トイレである。エントランスホール２１の突き当たりにはホールが設けられている。
【００８０】
図１及び図１０（Ｂ）に示されているように、管理棟２は、円墳形の建物である。地面４００に対して法面（斜面）４２１が傾斜している。その法面４２１に連続して小段面（水平面）４２２，法面４２３，天端面（水平面）４２４が形成されている。
【００８１】
このようになっているので、前方後円墳形の墓１との調和がとれ違和感のないデザインとなっている。
【００８２】
本実施形態によれば、たとえば前方後円墳に代表される巨大な墓に、多数の人々の遺骨を安置するようにした。上述のようなラック５をすべての納骨室に設置することで、ひとつの墓に数十万口の遺骨（数十万人分の遺骨）を納めることができる。墓地に関する法的規制が厳しく、新たな墓地を開発することが困難であることに起因して、墓地の価格が高止まりしている現状において、従来の家族単位等の墓（墳墓）ではなく、膨大な数の個人が利用できるひとつの墓（墳墓）である本実施形態を提供することで、墓（墳墓）を安価に供給できるのである。
【００８３】
また前方後円墳は、たとえば仁徳天皇陵などが有名であり、天皇・豪族などの時の権力者の力を象徴するものとして広く知られている。しかしながら、近年はつくられていない。そのような前方後円墳やその周囲に芝生を敷くなどして造形的にも美しくまた公園風に現代に甦らせることで、地元のシンボルとなることが期待され、墓参者だけでなく、観光客の来訪も見込まれることとなり、墓参者や観光客による飲食・土産物購入などによって地域興しや観光振興も期待できるのである。
【００８４】
また納骨室には、ひとつのラック５の背面に隣のラック５が位置するように、ほとんど隙間なく順次連続して並べられている。そして、遺骨を出し入れしないときは出し入れ口が隣のラックで隠れるように置かれている。このようになっているので、万一地震等があっても、ラック５が倒れることがない。またラック５から遺骨（骨壺）が落下することを防止できる。またストッパー５１２を設けて、このストッパー５１２を掛けておくことで、地震等によってラックが揺れて移動することを防止できる。
【００８５】
さらに、ラック５が、仕切板によって内部が正面側のスペース及び背面側のスペースに二分されて、遺骨を出し入れできるように正面及び背面に出し入れ口が設けられているタイプであれば、より多くの遺骨を安置できる。、
【００８６】
また、ラック５に引出部５１１を設けておくことで、ラック５の移動が容易になる。
【００８７】
さらに途中の階のフロアを貫通して最下階から屋上まで通じる吹き抜けが形成されているので、太陽の光が最下階まで達し、荘厳な雰囲気を醸し出す。
【００８８】
また少ないとも最下階が地下に位置するので、全体的な高さを抑えることができ、周囲に威圧感を与えず、敷かれた芝生と相まって優しい雰囲気を醸成する。
【００８９】
さらに墓１の外部から内部に出入りする箇所には風除室が設けられているので、墓の外部から内部に風が侵入することを防止できる。
【００９０】
（ラック５の変形例）
図１１は納骨室に設置されるラック５の変形例を示す図であり、図１１（Ａ）は正面図、図１（Ｂ）は平面図である。
【００９１】
なお以下では前述と同様の機能を果たす部分には同一の符号を付して重複する説明を適宜省略する。
【００９２】
図８に示されているラック５は、正面及び背面が開口し、ここが出し入れ口であって、遺骨はこの出し入れ口から出し入れされるが、この変形例では、ラック５は、背面に背板５３が配置されて、正面のみ開口し、遺骨は正面からのみ出し入れされる。
【００９３】
棚板５４には台座５５が設けられている。図１１では１枚の棚板５４に２個の台座が一列に並べられたものが例示されている。
【００９４】
このように、正面からのみ遺骨が出し入れされるものであっても、ラック５のバリエーションであり、このようなラック５を採用してもよい。
【００９５】
以上、本考案の実施形態について説明したが、上記実施形態は本考案の適用例の一部を示したに過ぎず、本考案の技術的範囲を上記実施形態の具体的構成に限定する趣旨ではない。
【００９６】
たとえば、上記説明においては、墓を前方後円墳形にする例を挙げて説明したが、これには限られない。前方後円墳以外にも、西山古墳に代表される前方後方墳の形状にしてもよい。また、丸墓山古墳に代表される円墳，山田高松古墳（推古陵）に代表される方墳，三吉石塚古墳に代表される帆立貝式古墳，櫛山古墳に代表される双方中円墳，野口王墓古墳に代表される八角墳，マルコ山古墳に代表される六角墳，（桜井）茶臼山古墳に代表される柄鏡式古墳，金山古墳に代表される双円墳，府中熊野神社古墳に代表される上円下方墳，西谷３号墳に代表される四隅突出墳などの形状にしてもよい。
【００９７】
また上述したように、墓地不足等の問題は、今後は、日本国だけでなく、世界各国で生ずることが懸念されている。そこで、それらの国で最適な形にすればよい。たとえばクフ王の墓として知られるピラミッド形にしてもよい。また中国の王陵（たとえば秦の始皇帝の墓）の形状や、朝鮮の王陵（朝鮮王陵）の形状にしてもよい。
【００９８】
さらにラック５の遺骨出し入れ口には、必要であれば扉を設けてもよい。このようにすれば、不慮による遺骨（骨壺）の落下を防止できる。また簡易的には、ロープなどを渡すようにしてもよい。このようにしても、不慮による遺骨（骨壺）の落下を防止できる。
【００９９】
また上記説明においては、一対のレール５０の上に２つのラックが配置されているタイプを例示したか、１つのラックのみが配置されているタイプであってもよい。
【０１００】
またラック５は、電気モーター等で移動するタイプであってもよい。
【符号の説明】
【０１０１】
１  墓
２  管理棟
３  通路
０１１〜０２０，１１１〜１２０，２１１〜２２０  納骨室
０４１，０４２，１４１，１４２，２４１，２４２  トイレ
１５１，１５２  風除室
１６１  エントランスホール
１６２  受付
１６４  ロビー
３０２  吹き抜け
３１１，３１２  階段
３２１  エレベーター
５０  レール
５  ラック
５１１  引出部（把手）
５１２  ストッパー
５３  仕切板
５４  棚板
【図１】
0003224925.tif 000003
【図２】
0003224925.tif 000004
【図３】
0003224925.tif 000005
【図４】
0003224925.tif 000006
【図５】
0003224925.tif 000007
【図６】
0003224925.tif 000008
【図７】
0003224925.tif 000009
【図８】
0003224925.tif 000010
【図９】
0003224925.tif 000011
【図１０】
0003224925.tif 000012
【図１１】
0003224925.tif 000013